(57)【要約】【課題】  現代の住宅、オフィスの環境を簡単な装飾品によって、改善することにある。【解決手段】  鉢やかご等の容器３に紀州産の備長炭等の炭材２の所定長さ、形状のものを生花風、植木風、盆栽風等のオブジェとしてアレンジして配設するもので、上記鉢やかご等の容器の表面に炭材をコ─ティングしている。上記備長炭等の炭材のオブジェを構成する鉢やかご等の容器、炭材、炭粒、麦飯石、天然特殊セラミック等の構成部品を包装し、開放して組み立て可能に形成するのが好ましい。特に、鉢やかご等の容器３の表面に微粉や微粒の炭材８をコ─ティングしたり、幹材となる炭材２の適宜の個所に他の幹材や枝材１２を接続するための接続孔１３を開孔して、幹材に他の幹材や枝材１２を接合するようにできる。なお、備長炭等の炭材２の粉末にバインダーを添加して所要形状のキャビティを形成する型枠に流動充填して生花風、植木風、盆栽風等のオブジェを形成することが可能である。【選択図】      図３
2005053103.tif 000002
【特許請求の範囲】
【請求項１】
鉢やかご等の容器に紀州産の備長炭等の炭材の所定長さ、形状のものを生花風、植木
風、盆栽風等のオブジェとしてアレンジして配設するもので、上記鉢やかご等の容器の表
面に炭材をコ─ティングしたことを特徴とする備長炭等の炭材のオブジェ。
【請求項２】
鉢やかご等の容器に紀州産の備長炭等の炭材の所定長さ、形状のものを生花風、植木
風、盆栽風等のオブジェとしてアレンジして配設するもので、上記備長炭等の炭材のオブ
ジェを構成する鉢やかご等の容器、炭材、炭粒、麦飯石、天然特殊セラミック等の構成部
品を包装し、開放して組み立て可能に形成したことを特徴とする備長炭等の炭材のオブジ
ェ。
【請求項３】
鉢やかご等の容器に紀州産の備長炭等の炭材の所定長さ、形状のものを生花風、植木
風、盆栽風等のオブジェとしてアレンジして配設するもので、上記幹材となる炭材の適宜
の個所に他の幹材や小枝を接続するための接続孔を開孔して、幹材に他の幹材や枝材を接
合するようにしたことを特徴とする備長炭等の炭材のオブジェ。
【請求項４】
備長炭等の炭材の粉末にバインダーを添加して所要形状のキャビティを形成した型枠
に流動充填して生花風、植木風、盆栽風等のオブジェの炭材を形成したものである請求項
１なしし３のいずれかに記載の備長炭等の炭材のオブジェ。
【発明の詳細な説明】
【技術分野】
【０００１】
本発明は、一般家庭や事務所、会社、ホテル、旅館等の玄関や床、応接間、ロビー等
に装飾できる生花風や盆栽風の備長炭等の炭材のオブジェに関するものである。
【背景技術】
【０００２】
一般家庭や事務所、会社、ホテル、旅館等に生花や盆栽を設置して、居住者や来訪者
の心を和ませたり、室内の装飾に利用したりしている。
【０００３】
しかし、これらのものは、専ら装飾を主としているもので、部屋の中にマイナスイオ
ンを放出したり、いやな臭いを消したり、さらにパソコンなどから発生する電磁波や静電
気のほこりを吸い寄せたりする弊害を除去できるものでなかった。
【０００４】
このような点から先行特許調査をした結果、実用新案登録第３０８１０７６号公報、
実用新案登録第３０８０９６４号公報、実用新案登録第３０８１８１３号公報、実用新案
登録第３０８７６１８号公報が検索された。
【特許文献１】実用新案登録第３０８１０７６号公報
【特許文献２】実用新案登録第３０８０９６４号公報
【特許文献３】実用新案登録第３０８１８１３号公報
【特許文献４】実用新案登録第３０８７６１８号公報
【０００５】
実用新案登録第３０８１０７６号は装飾炭材竹筒であり、実用新案登録第３０８０９
６４号は竹炭を利用した略四角形状の装飾材であり、実用新案登録第３０８１８１３号は
粉炭と芳香剤を混ぜて凝固成形した装飾照明器具であり、実用新案登録第３０８７６１８
号は木炭等の炭の面を炭の面と異なる色を彩色した装飾用の炭のものである。
【発明の開示】
【発明が解決しようとする課題】
【０００６】
これらでは、炭のもつ消臭効果やマイナスイオン発生で室内雰囲気を改善することが
提案されているが、室内等への装飾効果が乏しく、また消臭効果やマイナスイオンの発生
が少ないものであった。
【課題を解決するための手段】
【０００７】
本発明は、鉢やかご等の容器に紀州産の備長炭等の炭材の所定長さ、形状のものを生
花風、植木風、盆栽風等のオブジェとしてアレンジして配設するもので、上記鉢やかご等
の容器の表面に炭材をコ─ティングしたことを特徴とする備長炭等の炭材のオブジェを提
供するにある。
【０００８】
また、鉢やかご等の容器に紀州産の備長炭等の炭材の所定長さ、形状のものを生花風
、植木風、盆栽風等のオブジェとしてアレンジして配設するもので、上記備長炭等の炭材
のオブジェを構成する鉢やかご等の容器、炭材、炭粒、麦飯石、天然特殊セラミック等の
構成部品を包装し、開放して組み立て可能に形成した備長炭等の炭材のオブジェを提供す
るにある。
【０００９】
また、鉢やかご等の容器に紀州産の備長炭等の炭材の所定長さ、形状のものを生花風
、植木風、盆栽風等のオブジェとしてアレンジして配設するもので、上記幹材となる炭材
の適宜の個所に他の幹材や枝材を接続するための接続孔を開孔して、幹材に他の幹材や枝
材を接合するようにした備長炭等の炭材のオブジェを提供するにある。
【００１０】
またさらに、備長炭等の炭材の粉末にバインダーを添加して所要形状のキャビティを
形成した型枠に流動充填して生花風、植木風、盆栽風等のオブジェの炭材を形成した備長
炭等の炭材のオブジェを提供するにある。
【発明の効果】
【００１１】
本発明の鉢やかご等の容器に紀州産の備長炭等の炭材の所定長さ、形状のものを生花
風、植木風、盆栽風等のオブジェとしてアレンジして配設するもので、上記鉢やかご等の
容器の表面に炭材をコ─ティングしたことによって、生花風、植木風、盆栽風等のオブジ
ェとしての優雅な気風を有し、かつ紀州産の備長炭等の炭材によって消臭効果やマイナス
イオンを発生し、さらにパソコンなどの側に配置することでＯＡ機器による弊害を防止す
ることができ、特に表面積の広い容器を利用できて、上記した消臭効果やマイナスイオン
を発生し、さらにパソコンなどの側に配置することでＯＡ機器による弊害を防止すること
ができる。
【００１２】
また、鉢やかご等の容器に紀州産の備長炭等の炭材の所定長さ、形状のものを生花風
、植木風、盆栽風等のオブジェとしてアレンジして配設するもので、上記備長炭等の炭材
のオブジェを構成する鉢やかご等の容器、炭材、炭粒、麦飯石、天然特殊セラミック等の
構成部品を包装し、開放して組み立て可能に形成したことによって、嵩低く収容でき、コ
ンパクトにダンボール（図示せず）に梱包して需要者に送給して、マニュアルにしたがっ
て需要者の好みのオブジェに組み立てるようにすることができる。
【００１３】
また、鉢やかご等の容器に紀州産の備長炭等の炭材の所定長さ、形状のものを生花風
、植木風、盆栽風等のオブジェとしてアレンジして配設するもので、上記幹材となる炭材
の適宜の個所に他の幹材や枝材を接続するための接続孔を開孔して、幹材に他の幹材や枝
材を接合することによって、炭材の幹材の多様化がはかれるとともに、幹材に枝材を接合
できて多種多様な盆栽風、生花風等にすることができる。
【００１４】
さらに、備長炭等の炭材の粉末にバインダーを添加して所要形状のキャビティを形成
した型枠に流動充填して生花風、植木風、盆栽風等のオブジェの炭材を形成することによ
って、上記した備長炭等の炭材のオブジェを量産することができる。
【発明を実施するための最良の形態】
【００１５】
本発明の備長炭等の炭材のオブジェは、鉢やかご等の容器に紀州産の備長炭等の炭材
の所定長さ、形状のものを生花風、植木風、盆栽風等のオブジェとしてアレンジして配設
するもので、上記鉢やかご等の容器の表面に炭材をコ─ティングしたことを特徴としてい
る。
【００１６】
炭材のオブジェ１は、図１のように紀州産の備長炭、その他の炭材２の所定径、所定
長さ、形状のものを２ないし複数個選択して組み合わせ、変形鉢型花器、鉢型花器、変形
花器、丸水盤、方形水盤、多角形水盤、盛花かご等の容器３に生花風、植木風、盆栽風等
に配設し、必要により大小の造花４や生花等を添えて優雅に配設するようにしている。
【００１７】
そしてまた、上記炭材２を配設する容器３には、図１のように小さな炭粒５や小さな
麦飯石６、天然特殊セラミック７を混合して盛土状に敷設して、枯淡調に炭材のオブジェ
１を創出するのが好ましく、さらに容器３の広い表面積を利用して表面に炭粒５やセラミ
ック炭８の微粉、微粒を所要の塗料、バインダー、下地材を介してコーティングするのが
好ましい。
【００１８】
上記容器３、炭材２の表面には、金粉や銀粉等で文字や図形、その他の適宜なデザイ
ンを施し、より一層の装飾化をはかるようにすることができる。
【００１９】
上記炭材２としては、紀州産の杉や檜等の針葉樹を４００℃以上で炭化したものが調
湿や脱臭に好ましく、３０〜６０mm径位のものの、適宜に櫛や割れがあるものが風流感が
あって好ましく、ボンドで基盤材９に結合して立設することができる。また、この１〜５
mm径、好ましくは１〜２mm径の顆粒状のものを炭材５として敷設するのが、調湿、脱臭効
果が高くて好ましい。
【００２０】
また、杉等の針葉樹の間伐材をチップ状に粉砕し、１００％自然素材のセラミックを
コーティングして約８００℃で炭化した微粉末のセラミック炭８を容器３や炭材２の表面
にコーティングして、湿度の高低による吸脱着や、ホルムアルデヒドの有害化学物質の吸
着効果をより高めるようにすることができる。
【００２１】
また、麦飯石６は、水道水等に含まれる有害物質を除去し、人体に欠かせないカリウ
ム、リン、鉄、銅、マンガン、マグネシウム等のミネラルを溶解する作用があり、また遠
赤外線を放射する作用があって、生活に優しく好ましいものである。
【００２２】
さらに天然特殊セラミック７は、放射性物質の含有効果により、ラドン温泉と同様な
マイナスイオンを常温で発生し、空気中の水分３と反応してマイナスイオンを作り出し、
人体の血行促進、細胞の活性化がはかれて好ましい。
【００２３】
このように比較的形状の大きい紀州産の備長炭の炭材２を複数個配設することで、装
飾効果を高められるとともに調湿や脱臭効果も高められ、さらに遠赤外線の放射やマイナ
スイオンを多量発生できて室内雰囲気を改善することができる。
【００２４】
また、容器の表面に炭粒やセラミック炭の微粉、微粒の炭材をコーティングし、容器
内に炭粒、麦飯石、天然特殊セラミックを敷設することで、これらからも上記したように
調湿、脱臭、有害化学物質の吸着、マイナスイオンを発生し、より一層の効果を奏するこ
とができる。
【００２５】
上記した炭材のオブジェ１は、これらの構成品を図２に示すようにそれぞれ発泡シー
ト材１０や防湿シート袋１１等で包装し、コンパクトにダンボール（図示せず）に梱包し
て需要者に送給するようにして、マニュアルにしたがって需要者の好みのオブジェに組み
立てるようにすることができる。このようにすると、防湿シート等で炭材の吸着、脱臭等
の効果を維持できて、予め量産して保管しておくこともできる。
【００２６】
また、図３のように炭材２の適宜の個所に炭材２と同質の枝材１２を接続して、炭材
のオブジェ１の多種多様化をはかるようにできる。その手段としては、図４のように炭材
２に適宜径の接続孔１３を開口して枝材１２を挿脱可能に突き刺して接続したり、図５の
ように炭材２、枝材１２の両方にそれぞれ所定径の接続孔１３を開口し、銅線等の接続線
材１４を介して接続したりするなど適宜に行うことができる。特に、図５のように接続線
材を利用すると、炭材２にできるだけ小径の接続孔１３の開孔にできて炭材２の強度を低
下しないようにできて好ましい。
【００２７】
上記した板材１２の接続について、図６（ａ）、（ｂ）のように梅の枝としたり、桜
の枝としたり、その他、竹枝、松枝、藤枝、菊枝、柿枝、紅葉枝等として季節に合わせて
交換可能に接続するようにしたり、これらを炭材、炭粉で形成して立体的な水墨画風のも
のとするなど、本発明の趣旨に基づいて適宜に実施することができる。
【００２８】
また、上記では、炭材、枝材を自然のものとしたが、備長炭等の炭材の粉末にバイン
ダーを添加して所要形状のキャビティを形成して流動充填して自然風等の炭材とすること
もできる。
【産業上の利用可能性】
【００２９】
本発明は、炭材のオブジェとして、一般家庭での玄関、応接間、床屋、事務所、会社
、ホテル旅館のロビー、部屋、その他に簡単に設置でき、装飾品として、かつ実用的機能
を発揮して利用することができる。
【図面の簡単な説明】
【００３０】
【図１】本発明の一実施例の組み立て状態を示す正断面図、
【図２】同上の梱包状態を示す平面図、
【図３】同上の他の実施例の組み立て状態を示す正断面図、
【図４】同上の枝材接続説明用の拡大断面図、
【図５】同上の他の実施例の拡大断面図、
【図６】同上の他の枝材部の正面図（ａ）、（ｂ）。
【符号の説明】
【００３１】
１…炭材のオブジェ      ２…炭材            ３…容器
５…炭粒                ６…麦飯石          ７…天然特殊セラミック
１２…枝材
【図１】
2005053103.tif 000003
【図２】
2005053103.tif 000004
【図３】
2005053103.tif 000005
【図４】
2005053103.tif 000006
【図５】
2005053103.tif 000007
【図６】
2005053103.tif 000008
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
鉢やかごの容器に備長炭の炭材の所定長さ、形状のものを生花風や盆栽風の立体的な
水墨画風に形成するもので、
上記容器を変形鉢型花器、鉢型花器、変形花器、丸水盤、方形水盤、多角形水盤、盛
花かごの花器として、その表面に花器の広い面積を利用して炭粒の微粉または微粒をコー
ティングし、
上記幹材となる備長炭の炭材を３０〜６０ｍｍ径の櫛や割れのある複数本を上記花器
に立設するとともに、この幹材に炭材の枝材を接続するための接続孔を開孔して幹材に枝
材を接合して立体的な水墨画風に形成し、
上記花器に炭材の顆粒状のものや、小さな麦飯石、放射性物質を含有した天然セラミ
ックスを混合して盛土状に敷設したことを特徴とする炭材による水墨画風オブジェ。
【請求項２】
針葉樹の間伐材をチップ状に粉砕し、自然素材のセラミックをコーティングして炭化
した微粉末のセラミック炭を容器や炭材の表面にコーティングした請求項１に記載の炭材
による水墨画風オブジェ。
【請求項３】
幹材となる炭材の適宜の個所および炭材の枝材の端部に接続孔を開孔して、接続線材
を介して幹材に枝材を接合した請求項１または２に記載の炭材による水墨画風オブジェ。
【請求項４】
備長炭の炭材の粉末にバインダーを添加して所要形状のキャビティを形成した型枠に
流動充填して生花風、盆栽風の水墨画風のオブジェの炭材を形成したものである請求項１
ないし３のいずれかに記載の炭材による水墨画風オブジェ。
【手続補正２】
【補正対象書類名】明細書
【補正対象項目名】全文
【補正方法】変更
【補正の内容】
【発明の詳細な説明】
【技術分野】
【０００１】
本発明は、一般家庭や事務所、会社、ホテル、旅館等の玄関や床、応接間、ロビー等
に装飾できる生花風や盆栽風の備長炭等の炭材のオブジェに関するものである。
【背景技術】
【０００２】
一般家庭や事務所、会社、ホテル、旅館等に生花や盆栽を設置して、居住者や来訪者
の心を和ませたり、室内の装飾に利用したりしている。
【０００３】
しかし、これらのものは、専ら装飾を主としているもので、部屋の中にマイナスイオンを
放出したり、いやな臭いを消したり、さらにパソコンなどから発生する電磁波や静電気の
ほこりを吸い寄せたりする弊害を除去できるものでなかった。
【０００４】
このような点から先行特許調査をした結果、実用新案登録第３０８１０７６号公報、
実用新案登録第３０８０９６４号公報、実用新案登録第３０８１８１３号公報、実用新案
登録第３０８７６１８号公報が検索された。
【特許文献１】実用新案登録第３０８１０７６号公報
【特許文献２】実用新案登録第３０８０９６４号公報
【特許文献３】実用新案登録第３０８１８１３号公報
【特許文献４】実用新案登録第３０８７６１８号公報
【０００５】
実用新案登録第３０８１０７６号は装飾炭材竹筒であり、実用新案登録第３０８０９
６４号は竹炭を利用した略四角形状の装飾材であり、実用新案登録第３０８１８１３号は
粉炭と芳香剤を混ぜて凝固成形した装飾照明器具であり、実用新案登録第３０８７６１８
号は木炭等の炭の面を炭の面と異なる色を彩色した装飾用の炭のものである。
【発明の開示】
【発明が解決しようとする課題】
【０００６】
これらでは、炭のもつ消臭効果やマイナスイオン発生で室内雰囲気を改善することが
提案されているが、室内等への装飾効果が乏しく、また消臭効果やマイナスイオンの発生
が少ないものであった。
【課題を解決するための手段】
【０００７】
本発明は、鉢やかごの容器に備長炭の炭材の所定長さ、形状のものを生花風や盆栽風
の立体的な水墨画風に形成するもので、上記容器を変形鉢型花器、鉢型花器、変形花器、
丸水盤、方形水盤、多角形水盤、盛花かごの花器として、その表面に花器の広い面積を利
用して炭粒の微粉または微粒をコーティングし、上記幹材となる備長炭の炭材を３０〜６
０ｍｍ径の櫛や割れのある複数本を上記花器に立設するとともに、この幹材や炭材の枝材
を接続するための接続孔を開孔して幹材に枝材を接合して立体的な水墨画風に形成し、上
記花器に炭材の顆粒状のものや、小さな麦飯石、放射性物質を含有した天然セラミックス
を混合して盛土状に敷設したことを特徴とする炭材による水墨画風オブジェを提供するに
ある。
【０００８】
また、針葉樹の間伐材をチップ状に粉砕し、自然素材のセラミックをコーティングし
て炭化した微粉末のセラミック炭を容器や炭材の表面にコーティングした水墨画風オブジ
ェを提供するにある。
【０００９】
また、幹材となる炭材の適宜の個所および炭材の枝材の端部に接続孔を開孔して、接
続線材を介して幹材に枝材を接合した炭材による水墨画風オブジェを提供するにある。
【００１０】
またさらに、備長炭の炭材の粉末にバインダーを添加して所要形状のキャビティを形
成した型枠に流動充填して生花風、盆栽風の水墨画風のオブジェの炭材を形成した炭材に
よる水墨画風オブジェを提供するにある。
【発明の効果】
【００１１】
本発明は、鉢やかごの容器に備長炭の炭材の所定長さ、形状のものを生花風や盆栽風
の立体的な水墨画風に形成するもので、上記容器を変形鉢型花器、鉢型花器、変形花器、
丸水盤、方形水盤、多角形水盤、盛花かごの花器として、その表面に花器の広い面積を利
用して炭粒の微粉または微粒をコーティングしたことによって、生花風、盆栽風のオブジ
ェとしての優雅な気風を有し、かつ備長炭の炭材によって消臭効果やマイナスイオンを発
生し、パソコンなどの側に配置することでＯＡ機器による弊害を防止することができる。
特に、表面積の広い容器を利用できて、上記した消臭効果やマイナスイオンを発生でき、
ＯＡ機器による弊害を防止することができる。そして、一般家庭での玄関、応接間、床屋
、事務所、会社、ホテル旅館のロビー、部屋、その他に簡単に設置でき、装飾品として、
かつ実用的機能を発揮して利用することができる。
【００１２】
また、上記幹材となる備長炭の炭材を３０〜６０ｍｍ径の櫛や割れのある複数本を上
記花器に立設するとともに、この幹材に炭材の枝材を接続するための接続孔を開孔して幹
材に枝材を接合して立体的な水墨画風に形成したことによって、枝材を梅の枝としたり、
桜の枝としたり、その他、竹枝、松枝、藤枝、菊枝、柿枝、紅葉枝等として季節に合わせ
て交換可能に接続したりして、多種多様な立体的な水墨画風のものとできて装飾効果を高
められるとともに、調湿や脱臭効果も高められ、さらに遠赤外線の放射やマイナスイオン
を多量発生できて室内雰囲気を改善することができる。
【００１３】
また、上記花器に炭材の顆粒状のものや、小さな麦飯石、放射性物質を含有した天然
セラミックスを混合して盛土状に敷設したことによって、調湿、脱臭効果を高められ、水
道水等に含まれる有害物質を除去し、遠赤外線を放射して生活に優しくでき、さらに天然
セラミックの放射性物質の含有効果により、ラドン温泉と同様なマイナスイオンを常温で
発生し、空気中の水分と反応してマイナスイオンを作り出し、人体の血行促進、細胞の活
性化をはかるようにできる。
【００１４】
また、針葉樹の間伐材をチップ状に粉砕し、自然素材のセラミックをコーティングし
て炭化した微粉末のセラミック炭を容器や炭材の表面にコーティングしたことによって、
湿度の高低による吸脱着や、ホルムアルデヒドの有害化学物質の吸着効果をより高めるこ
とができる。
【００１５】
また、幹材となる炭材の適宜の個所および炭材の枝材の端部に接続孔を開孔して、接
続線材を介して幹材に枝材を接合したことによって、炭材にできるだけ小径の接続孔の開
孔にできて炭材の強度を低下しないようにできて、多種多様な盆栽風、生花風の炭材のオ
ブジェの多様化がはかれる。
【００１６】
さらに、備長炭の炭材の粉末にバインダーを添加して所要形状のキャビティを形成し
た型枠に流動充填して生花風、盆栽風のオブジェの炭材を形成することによって、上記し
た備長炭の炭材のオブジェを量産することができる。
【発明を実施するための最良の形態】
【００１７】
本発明の備長炭の炭材によるオブジェは、鉢やかごの容器に備長炭の炭材の所定長さ
、形状のものを生花風や盆栽風の立体的な水墨画風に形成するもので、上記容器を変形鉢
型花器、鉢型花器、変形花器、丸水盤、方形水盤、多角形水盤、盛花かごの花器として、
その表面に花器の広い面積を利用して炭粒の微粉または微粒をコーティングし、上記幹材
となる備長炭の炭材を３０〜６０ｍｍ径の櫛や割れのある複数本を上記花器に立設すると
ともに、この幹材に炭材の枝材を接続するための接続孔を開孔して幹材に枝材を接合して
立体的な水墨画風に形成し、上記花器に炭材の顆粒状のものや、小さな麦飯石、放射性物
質を含有した天然セラミックスを混合して盛土状に敷設したことを特徴としている。
【００１８】
炭材によるオブジェ１は、図１のように紀州産の備長炭の炭材２の所定径、所定長さ
、形状のものを２ないし複数個選択して組み合わせ、変形鉢型花器、鉢型花器、変形花器
、丸水盤、方形水盤、多角形水盤、盛花かごの花器の容器３に生花風、盆栽風に配設し、
必要により大小の造花や生花等を添えて優雅に配設するようにしている。
【００１９】
そしてまた、上記炭材２を配設する容器３には、図１のように小さな炭粒５や小さな
麦飯石６、天然特殊セラミック７を混合して盛土状に敷設して、枯淡調に炭材のオブジェ
１を創出するのが好ましく、さらに容器３の広い表面積を利用して表面に炭粒５やセラミ
ック炭８の微粉、微粒を所要の塗料、バインダー、下地材を介してコーティングするのが
好ましい。上記容器３、炭材２の表面には、金粉や銀粉等で文字や図形、その他の適宜な
デザインを施すことができる。
【００２０】
上記炭材２としては、紀州産の杉や檜等の針葉樹を４００℃以上で炭化したものが調
湿や脱臭に好ましく、３０〜６０mm径位のものの、適宜に櫛や割れがあるものが風流感が
あって好ましく、ボンドで基盤材９に結合して立設することができる。また、この１〜５
mm径、好ましくは１〜２mm径の顆粒状のものを炭材５として敷設するのが、調湿、脱臭効
果が高くて好ましい。
【００２１】
また、杉等の針葉樹の間伐材をチップ状に粉砕し、１００％自然素材のセラミックを
コーティングして約８００℃で炭化した微粉末のセラミック炭８を容器３や炭材２の表面
にコーティングして、湿度の高低による吸脱着や、ホルムアルデヒドの有害化学物質の吸
着効果をより高めるようにすることができる。
【００２２】
また、麦飯石６は、水道水等に含まれる有害物質を除去し、人体に欠かせないカリウ
ム、リン、鉄、銅、マンガン、マグネシウム等のミネラルを溶解する作用があり、また遠
赤外線を放射する作用があって、生活に優しく好ましいものである。
【００２３】
さらに天然特殊セラミック７は、放射性物質の含有効果により、ラドン温泉と同様な
マイナスイオンを常温で発生し、空気中の水分と反応してマイナスイオンを作り出し、人
体の血行促進、細胞の活性化がはかれて好ましい。
【００２４】
このように比較的形状の大きい紀州産の備長炭の炭材２を複数個配設することで、装
飾効果を高められるとともに調湿や脱臭効果も高められ、さらに遠赤外線の放射やマイナ
スイオンを多量発生できて室内雰囲気を改善することができる。
【００２５】
また、容器の表面に炭粒やセラミック炭の微粉、微粒の炭材をコーティングし、容器
内に炭粒、麦飯石、天然特殊セラミックを敷設することで、これらからも上記したように
調湿、脱臭、有害化学物質の吸着、マイナスイオンを発生し、より一層の効果を奏するこ
とができる。
【００２６】
上記した炭材のオブジェ１は、これらの構成品を図２に示すようにそれぞれ発泡シー
ト材１０や防湿シート袋１１等で包装し、コンパクトに段ボール（図示せず）に梱包して
需要者に送給するようにして、マニュアルにしたがって需要者の好みのオブジェに組み立
てるようにすることができる。このようにすると、防湿シート等で炭材の吸着、脱臭等の
効果を維持できて、予め量産して保管しておくこともできる。
【００２７】
また、図３のように炭材２の適宜の個所に炭材２と同質の枝材１２を接続して、水墨
画風の炭材のオブジェ１の多種多様化をはかるようにできる。その手段としては、図３の
ように炭材２に適宜径の接続孔１３を開口して枝材１２を挿脱可能に突き刺して接続した
り、図４のように炭材２、枝材１２の両方にそれぞれ所定径の接続孔１３を開口し、銅線
等の接続線材１４を介して接続したりするなど適宜に行うことができる。特に、図４のよ
うに接続線材を利用すると、炭材２にできるだけ小径の接続孔１３の開孔にできて炭材２
の強度を低下しないようにできて好ましい。
【００２８】
上記した枝材１２の接続について、図５（ａ）、（ｂ）のように梅の枝としたり、桜
の枝としたり、その他、竹枝、松枝、藤枝、菊枝、柿枝、紅葉枝等として季節に合わせて
交換可能に接続するようにしたり、これらを炭材、炭粉で形成して立体的な水墨画風のも
のとすることができる。
【００２９】
また、上記では、炭材、枝材を自然のものとしたが、備長炭の炭材の粉末にバインダ
ーを添加して所要形状のキャビティを形成して流動充填して成形することもできる。
【産業上の利用可能性】
【００３０】
本発明は、一般家庭での玄関、応接間、床屋、事務所、会社、ホテル旅館のロビー、
部屋、その他に簡単に設置でき、装飾品として、かつ実用的機能を発揮して利用すること
ができる。
【図面の簡単な説明】
【００３１】
【図１】本発明の一実施例の組み立て状態を示す正断面図、
【図２】同上の梱包状態説明の平面図、
【図３】同上の枝材接続説明用の拡大断面図、
【図４】同上の他の実施例の拡大断面図、
【図５】同上の他の枝材部の正面図（ａ）、（ｂ）。
【符号の説明】
【００３２】
１…オブジェ            ２…炭材            ３…容器
５…炭粒                ６…麦飯石          ７…天然特殊セラミック
１２…枝材              １４…接続線材
【手続補正３】
【補正対象書類名】図面
【補正対象項目名】全図
【補正方法】変更
【補正の内容】
【図１】
2005053103.tif 000009
【図２】
2005053103.tif 000010
【図３】
2005053103.tif 000011
【図４】
2005053103.tif 000012
【図５】
2005053103.tif 000013
【手続補正書】
【提出日】平成16年8月18日(2004.8.18)
【手続補正１】
【補正対象書類名】特許請求の範囲
【補正対象項目名】全文
【補正方法】変更
【補正の内容】
【特許請求の範囲】
【請求項１】
鉢やかごの容器に備長炭の炭材の所定長さ、形状のものを生花風や盆栽風の立体的な
水墨画風に形成するもので、
上記容器を変形鉢型花器、鉢型花器、変形花器、丸水盤、方形水盤、多角形水盤、盛
花かごの花器として、その表面に花器の広い面積を利用して針葉樹の間伐材をチップ状に
粉砕し、自然素材のセラミックをコーティングして炭化した微粉末のセラミック炭をコー
ティングし、
上記幹材となる備長炭の炭材を３０〜６０ｍｍ径の櫛や割れのある複数本を上記花器
に立設するとともに、この幹材に炭材の枝材を接続するための接続孔を開孔して幹材に炭
材の枝材を接合して立体的な水墨画風に形成し、
上記花器に炭材の顆粒状のものや、小さな麦飯石、放射性物質を含有した天然セラミ
ックスを混合して盛土状に敷設したことを特徴とする炭材による水墨画風オブジェ。
【請求項２】
幹材となる炭材の適宜の個所および炭材の枝材の端部に接続孔を開孔して、接続線材
を介して幹材に枝材を接合した請求項１に記載の炭材による水墨画風オブジェ。
【手続補正２】
【補正対象書類名】明細書
【補正対象項目名】全文
【補正方法】変更
【補正の内容】
【発明の詳細な説明】
【技術分野】
【０００１】
本発明は、一般家庭や事務所、会社、ホテル、旅館等の玄関や床、応接間、ロビー等
に装飾できる生花風や盆栽風の備長炭の炭材のオブジェに関するものである。
【背景技術】
【０００２】
一般家庭や事務所、会社、ホテル、旅館等に生花や盆栽を設置して、居住者や来訪者
の心を和ませたり、室内の装飾に利用したりしている。
【０００３】
しかし、これらのものは、専ら装飾を主としているもので、部屋の中にマイナスイオンを
放出したり、いやな臭いを消したり、さらにパソコンなどから発生する電磁波や静電気の
ほこりを吸い寄せたりする弊害を除去できるものでなかった。
【０００４】
このような点から先行特許調査をした結果、実用新案登録第３０８１０７６号公報、
実用新案登録第３０８０９６４号公報、実用新案登録第３０８１８１３号公報、実用新案
登録第３０８７６１８号公報が検索された。
【特許文献１】実用新案登録第３０８１０７６号公報
【特許文献２】実用新案登録第３０８０９６４号公報
【特許文献３】実用新案登録第３０８１８１３号公報
【特許文献４】実用新案登録第３０８７６１８号公報
【０００５】
実用新案登録第３０８１０７６号は装飾炭材竹筒であり、実用新案登録第３０８０９
６４号は竹炭を利用した略四角形状の装飾材であり、実用新案登録第３０８１８１３号は
粉炭と芳香剤を混ぜて凝固成形した装飾照明器具であり、実用新案登録第３０８７６１８
号は木炭等の炭の面を炭の面と異なる色を彩色した装飾用の炭のものである。
【発明の開示】
【発明が解決しようとする課題】
【０００６】
これらでは、炭のもつ消臭効果やマイナスイオン発生で室内雰囲気を改善することが
提案されているが、室内等への装飾効果が乏しく、また消臭効果やマイナスイオンの発生
が少ないものであった。
【課題を解決するための手段】
【０００７】
本発明は、鉢やかごの容器に備長炭の炭材の所定長さ、形状のものを生花風や盆栽風
の立体的な水墨画風に形成するもので、上記容器を変形鉢型花器、鉢型花器、変形花器、
丸水盤、方形水盤、多角形水盤、盛花かごの花器として、その表面に花器の広い面積を利
用して針葉樹の間伐材をチップ状に粉砕し、自然素材のセラミックをコーティングして炭
化した微粉末のセラミック炭をコーティングし、上記幹材となる備長炭の炭材を３０〜６
０ｍｍ径の櫛や割れのある複数本を上記花器に立設するとともに、この幹材や炭材の枝材
を接続するための接続孔を開孔して幹材に炭材の枝材を接合して立体的な水墨画風に形成
し、上記花器に炭材の顆粒状のものや、小さな麦飯石、放射性物質を含有した天然セラミ
ックスを混合して盛土状に敷設したことを特徴とする炭材による水墨画風オブジェを提供
するにある。
【０００８】
また、幹材となる炭材の適宜の個所および炭材の枝材の端部に接続孔を開孔して、接
続線材を介して幹材に枝材を接合した炭材による水墨画風オブジェを提供するにある。
【発明の効果】
【０００９】
本発明は、鉢やかごの容器に備長炭の炭材の所定長さ、形状のものを生花風や盆栽風
の立体的な水墨画風に形成するもので、上記容器を変形鉢型花器、鉢型花器、変形花器、
丸水盤、方形水盤、多角形水盤、盛花かごの花器として、その表面に花器の広い面積を利
用して針葉樹の間伐材をチップ状に粉砕し、自然素材のセラミックをコーティングして炭
化した微粉末のセラミック炭をコーティングしたことによって、生花風、盆栽風のオブジ
ェとしての優雅な気風を有し、かつ備長炭の炭材によって消臭効果やマイナスイオンを発
生し、パソコンなどの側に配置することでＯＡ機器による弊害を防止することができる。
特に、表面積の広い容器を利用できて、上記した消臭効果やマイナスイオンを発生でき、
ＯＡ機器による弊害を防止することができる。そして、一般家庭での玄関、応接間、床屋
、事務所、会社、ホテル旅館のロビー、部屋、その他に簡単に設置でき、装飾品として、
かつ実用的機能を発揮して利用することができる。
【００１０】
特に、針葉樹の間伐材をチップ状に粉砕し、自然素材のセラミックをコーティングし
て炭化した微粉末のセラミック炭の表面にコーティングしたことによって、湿度の高低に
よる吸脱着や、ホルムアルデヒドの有害化学物質の吸着効果をより高めることができる。
【００１１】
また、上記幹材となる備長炭の炭材を３０〜６０ｍｍ径の櫛や割れのある複数本を上
記花器に立設するとともに、この幹材に炭材の枝材を接続するための接続孔を開孔して幹
材に炭材の枝材を接合して立体的な水墨画風に形成したことによって、枝材を梅の枝とし
たり、桜の枝としたり、その他、竹枝、松枝、藤枝、菊枝、柿枝、紅葉枝等として季節に
合わせて交換可能に接続したりして、多種多様な立体的な水墨画風のものとできて装飾効
果を高められるとともに、調湿や脱臭効果も高められ、さらに遠赤外線の放射やマイナス
イオンを多量発生できて室内雰囲気を改善することができる。
【００１２】
また、上記花器に炭材の顆粒状のものや、小さな麦飯石、放射性物質を含有した天然
セラミックスを混合して盛土状に敷設したことによって、調湿、脱臭効果を高められ、水
道水等に含まれる有害物質を除去し、遠赤外線を放射して生活に優しくでき、さらに天然
セラミックの放射性物質の含有効果により、ラドン温泉と同様なマイナスイオンを常温で
発生し、空気中の水分と反応してマイナスイオンを作り出し、人体の血行促進、細胞の活
性化をはかるようにできる。
【００１３】
また、幹材となる炭材の適宜の個所および炭材の枝材の端部に接続孔を開孔して、接
続線材を介して幹材に枝材を接合したことによって、炭材にできるだけ小径の接続孔の開
孔にできて炭材の強度を低下しないようにできて、多種多様な盆栽風、生花風の炭材のオ
ブジェの多様化がはかれる。
【発明を実施するための最良の形態】
【００１４】
本発明の備長炭の炭材によるオブジェは、鉢やかごの容器に備長炭の炭材の所定長さ
、形状のものを生花風や盆栽風の立体的な水墨画風に形成するもので、上記容器を変形鉢
型花器、鉢型花器、変形花器、丸水盤、方形水盤、多角形水盤、盛花かごの花器として、
その表面に花器の広い面積を利用して針葉樹の間伐材をチップ状に粉砕し、自然素材のセ
ラミックをコーティングして炭化した微粉末のセラミック炭をコーティングし、上記幹材
となる備長炭の炭材を３０〜６０ｍｍ径の櫛や割れのある複数本を上記花器に立設すると
ともに、この幹材に炭材の枝材を接続するための接続孔を開孔して幹材に炭材の枝材を接
合して立体的な水墨画風に形成し、上記花器に炭材の顆粒状のものや、小さな麦飯石、放
射性物質を含有した天然セラミックスを混合して盛土状に敷設したことを特徴としている
。
【００１５】
炭材によるオブジェ１は、図１のように紀州産の備長炭の炭材２の所定径、所定長さ
、形状のものを２ないし複数個選択して組み合わせ、変形鉢型花器、鉢型花器、変形花器
、丸水盤、方形水盤、多角形水盤、盛花かごの花器の容器３に生花風、盆栽風に配設し、
必要により大小の造花や生花等を添えて優雅に配設するようにしている。
【００１６】
そしてまた、上記炭材２を配設する容器３には、図１のように小さな炭粒５や小さな
麦飯石６、天然特殊セラミック７を混合して盛土状に敷設して、枯淡調に炭材のオブジェ
１を創出するのが好ましく、さらに容器３の広い表面積を利用して表面に炭粒５やセラミ
ック炭８の微粉、微粒を所要の塗料、バインダー、下地材を介してコーティングするのが
好ましい。上記容器３、炭材２の表面には、金粉や銀粉等で文字や図形、その他の適宜な
デザインを施すことができる。
【００１７】
上記炭材２としては、紀州産の杉や檜等の針葉樹を４００℃以上で炭化したものが調
湿や脱臭に好ましく、３０〜６０mm径位のものの、適宜に櫛や割れがあるものが風流感が
あって好ましく、ボンドで基盤材９に結合して立設することができる。また、この１〜５
mm径、好ましくは１〜２mm径の顆粒状のものを炭材５として敷設するのが、調湿、脱臭効
果が高くて好ましい。
【００１８】
また、杉等の針葉樹の間伐材をチップ状に粉砕し、１００％自然素材のセラミックを
コーティングして約８００℃で炭化した微粉末のセラミック炭８を容器３や炭材２の表面
にコーティングして、湿度の高低による吸脱着や、ホルムアルデヒドの有害化学物質の吸
着効果をより高めるようにすることができる。
【００１９】
また、麦飯石６は、水道水等に含まれる有害物質を除去し、人体に欠かせないカリウ
ム、リン、鉄、銅、マンガン、マグネシウム等のミネラルを溶解する作用があり、また遠
赤外線を放射する作用があって、生活に優しく好ましいものである。
【００２０】
さらに天然特殊セラミック７は、放射性物質の含有効果により、ラドン温泉と同様な
マイナスイオンを常温で発生し、空気中の水分と反応してマイナスイオンを作り出し、人
体の血行促進、細胞の活性化がはかれて好ましい。
【００２１】
このように比較的形状の大きい紀州産の備長炭の炭材２を複数個配設することで、装
飾効果を高められるとともに調湿や脱臭効果も高められ、さらに遠赤外線の放射やマイナ
スイオンを多量発生できて室内雰囲気を改善することができる。
【００２２】
また、容器内に炭粒、麦飯石、天然特殊セラミックを敷設することで、これらからも
上記したように調湿、脱臭、有害化学物質の吸着、マイナスイオンを発生し、より一層の
効果を奏することができる。
【００２３】
上記した炭材のオブジェ１は、これらの構成品を図２に示すようにそれぞれ発泡シー
ト材１０や防湿シート袋１１等で包装し、コンパクトに段ボール（図示せず）に梱包して
需要者に送給するようにして、マニュアルにしたがって需要者の好みのオブジェに組み立
てるようにすることができる。このようにすると、防湿シート等で炭材の吸着、脱臭等の
効果を維持できて、予め量産して保管しておくこともできる。
【００２４】
また、図３のように炭材２の適宜の個所に炭材２と同質の枝材１２を接続して、水墨
画風の炭材のオブジェ１の多種多様化をはかるようにできる。その手段としては、図３の
ように炭材２に適宜径の接続孔１３を開口して枝材１２を挿脱可能に突き刺して接続した
り、図４のように炭材２、枝材１２の両方にそれぞれ所定径の接続孔１３を開口し、銅線
等の接続線材１４を介して接続したりするなど適宜に行うことができる。特に、図４のよ
うに接続線材を利用すると、炭材２にできるだけ小径の接続孔１３の開孔にできて炭材２
の強度を低下しないようにできて好ましい。
【００２５】
上記した枝材１２の接続について、図５（ａ）、（ｂ）のように梅の枝としたり、桜
の枝としたり、その他、竹枝、松枝、藤枝、菊枝、柿枝、紅葉枝等として季節に合わせて
交換可能に接続するようにしたり、これらを炭材、炭粉で形成して立体的な水墨画風のも
のとすることができる。
【産業上の利用可能性】
【００２６】
本発明は、一般家庭での玄関、応接間、床屋、事務所、会社、ホテル旅館のロビー、
部屋、その他に簡単に設置でき、装飾品として、かつ実用的機能を発揮して利用すること
ができる。
【図面の簡単な説明】
【００２７】
【図１】本発明の一実施例の組み立て状態を示す正断面図、
【図２】同上の梱包状態説明の平面図、
【図３】同上の枝材接続説明用の拡大断面図、
【図４】同上の他の実施例の拡大断面図、
【図５】同上の他の枝材部の正面図（ａ）、（ｂ）。
【符号の説明】
【００２８】
１…オブジェ            ２…炭材            ３…容器
５…炭粒                ６…麦飯石          ７…天然特殊セラミック
１２…枝材              １４…接続線材